(57)【要約】【課題】リモート外付け設備上で文字またはイラストを表示できるリモートデータ表示の構造を適用した電子装置を提供する。【解決手段】ネットワークシステム３０２、第１装置３０４、第２装置３１２、第１表示器３０６、第２表示器３１４および第１入力ユニット３０８を含む。第１装置３０４と第２装置３１２は、それぞれネットワークシステム３０２とカップリングする。第１表示器３０６は第１装置３０４とカップリングし、第２表示器３１４は第２装置３１２とカップリングする。ターゲットプログラムを実行後、第１入力ユニット３０８を利用して、第１の特定データを第１装置３０４に入力し、第１プロトコルとネットワークシステム３０２を利用して、第１の特定データを第２装置３１２に伝送する。ターゲットプログラムと第１の特定データを利用して、第２表示器３１４に第２の特定データを表示させる。【選択図】図３
2008041073.tif 000002
【特許請求の範囲】
【請求項１】
ネットワークシステムと、
前記ネットワークシステムとカップリングする第１装置と、
前記ネットワークシステムとカップリングする第２装置と、
前記第２装置とカップリングする第２表示器および前記第１装置とカップリングする第１入力ユニットと、を備え、
ターゲットプログラムが実行された後、前記第１入力ユニットを利用して第１の特定データを前記第１装置が入力され、第１プロトコルおよび前記ネットワークシステムを利用して前記第１の特定データが前記第２装置に伝送され、前記ターゲットプログラムと前記第１の特定データを利用して前記第２表示器に第２の特定データが表示されることを特徴とするリモートデータ表示の構造を適用した電子装置。
【請求項２】
第２入力ユニットは、前記第２装置とカップリングすることを特徴とする請求項１記載のリモートデータ表示の構造を適用した電子装置。
【請求項３】
第１装置は、第１表示ユニットとカップリングすることを特徴とする請求項１記載のリモートデータ表示の構造を適用した電子装置。
【請求項４】
第２装置は、第２表示ユニットとカップリングすることを特徴とする請求項１記載のリモートデータ表示の構造を適用した電子装置。
【請求項５】
第１表示器は、前記第１装置とカップリングすることを特徴とする請求項１記載のリモートデータ表示の構造を適用した電子装置。
【請求項６】
前記第１入力ユニットと第２入力ユニットの内の一つは、キーボード、手書き装置または音声入力装置であることを特徴とする請求項５記載のリモートデータ表示の構造を適用した電子装置。
【請求項７】
前記第１装置または第２装置いずれかは、ＰＣ、携帯情報端末または携帯電話であることを特徴とする請求項１記載のリモートデータ表示の構造を適用した電子装置。
【請求項８】
前記第１表示器または第２表示器のいずれかは、
対応する前記第１装置と前記第２装置の一つとカップリングし、第２プロトコルを利用して対応する前記第１装置と第２装置の内の一つにデータ伝送を行うコントロールユニットと、
前記コントロールユニットとカップリングする駆動回路と、
前記駆動回路とカップリングする発光モジュールと、
前記駆動回路とカップリングするモータおよび前記モータと前記発光モジュールと連結する作動機構と、を有し、前記第２の特定データを表示するため、前記モータと前記作動機構によって前記発光モジュールが移動されることを特徴とする請求項１記載のリモートデータ表示の構造を適用した電子装置。
【請求項９】
前記コントロールユニットは、
ＣＰＵと、
前記ＣＰＵとカップリングする内設メモリと、
前記ＣＰＵとカップリングし、少なくとも複数の汎用入出力ポートを有する周辺コントロールユニットと、
を有することを特徴とする請求項８記載のリモートデータ表示の構造を適用した電子装置。
【請求項１０】
前記第２プロトコルは、ＵＳＢ、BluetoothおよびＳＡＴＡの内の一つであることを特徴とする請求項８記載のリモートデータ表示の構造を適用した電子装置。
【請求項１１】
前記発光モジュールは、複数のＬＥＤを含むことを特徴とする請求項８記載のリモートデータ表示の構造を適用した電子装置。
【請求項１２】
前記発光モジュールのＬＥＤは、バーに設置され、該ＬＥＤは直線的に配列して前記バーの中心軸方向に平行となることを特徴とする請求項１１記載のリモートデータ表示の構造を適用した電子装置。
【請求項１３】
前記バーは、前記作動機構と連結し、前記作動機構は前記バーを移動させることを特徴とする請求項１２記載のリモートデータ表示の構造を適用した電子装置。
【請求項１４】
前記発光モジュールは、
少なくともレーザーダイオード発光モジュールと、
レンズと、を有し、前記レーザーダイオード発光モジュールは前記レンズのピント合わせによってレーザー光を投射可能であることを特徴とする請求項８記載のリモートデータ表示の構造を適用した電子装置。
【請求項１５】
第１表示器または第２表示器のいずれか一つは、
対応する前記第１装置と前記第２装置の一つとカップリングするコントロールユニットと、
前記コントロールユニットとカップリングするモニタと、を有し、
前記コントロールユニットは、前記第２の特定データを受信した後、前記第２の特定データを前記モニタに表示することを特徴とする請求項１記載のリモートデータ表示の構造を適用した電子装置。
【請求項１６】
前記ターゲットプログラムは、
前記第１装置と前記第２装置を起動し、少なくとも一つの関連プログラムを起動させる起動プログラムを実行するステップと、
前記ネットワークシステムと関連プログラムにより前記第１の特定データを前記第２装置に伝送する伝送プログラムを実行するステップと、
前記第１の特定データがキー番号を含むか否かを決定する解析プログラムを実行するステップと、を有し、第１の特定データが前記キー番号を含む場合、第２表示器に前記第１の特定データが対応する前記第２の特定データを表示させるため、プログラム表示を実行することを特徴とする請求項１記載のリモートデータ表示の構造を適用した電子装置。
【請求項１７】
前記第１装置および前記第２装置は、インスタントメッセンジャープログラムを起動し、
前記第１装置および前記第２装置は特定の応用プログラムを起動することを特徴とする請求項１６記載のリモートデータ表示の構造を適用した電子装置。
【請求項１８】
前記インスタントメッセンジャープログラムは、汎用のメッセンジャーであることを特徴とする請求項１７記載のリモートデータ表示の構造を適用した電子装置。
【請求項１９】
前記伝送プログラムは、
前記第１装置がインスタントメッセンジャープログラムを利用して前記第２装置へコマンドパケットを伝送するステップと、
前記第２装置が前記インスタントメッセンジャープログラムを利用して前記コマンドパケットを受信するステップと、を有し、前記コマンドパケットが対応するパケット内容をバッファエリアに保存することを特徴とする請求項１６記載のリモートデータ表示の構造を適用した電子装置。
【請求項２０】
前記解析プログラムは、
特定の応用プログラムを利用し、一間隔時間毎に前記第２装置がパケット内容を取得するために、バッファエリアの内容の読取りを行うステップと、
前記パケット内容がキー番号を含むか否かを解析するステップと、
前記パケット内容が前記キー番号を含む場合、特定の文字列または特定のイラストの内の一つを表示するステップと、
前記キー番号が前記特定の文字列の表示を決定した場合、前記パケット内容が対応する前記特定の文字列を前記第２表示器へ伝送し、前記第２表示器に前記特定の文字列を表示させるステップと、
前記キー番号が前記特定のイラストの表示を決定した場合、前記第２装置のメモリユニットにおいて対応するイラストデータの取出しを行うステップと、
前記イラストデータを前記第２表示器へ伝送し、前記第２表示器に前記特定のイラストを表示させるステップと、
を含むことを特徴とする請求項１６記載のリモートデータ表示の構造を適用した電子装置。
【請求項２１】
前記特定の文字列は、前記パケット内容に含まれることを特徴とする請求項２０記載のリモートデータ表示の構造を適用した電子装置。
【請求項２２】
前記イラストデータは、前記第２装置の第２メモリユニットに予め保存されていることを特徴とする請求項２０記載のリモートデータ表示の構造を適用した電子装置。
【請求項２３】
前記パケット内容に前記キー番号が含まれない場合、前記第２表示ユニットにおいて前記パケット内容が対応する前記特定の文字列を表示することを特徴とする請求項２０記載のリモートデータ表示の構造を適用した電子装置。
【請求項２４】
前記プログラム表示は、
第２プロトコルを利用して前記第２装置と前記第２表示器との連線を行い、
前記第２装置は前記第２の特定データを前記第２表示器へ伝送し、
前記第２表示器は前記第２の特定データを受信した後、特定の文字列と特定のイラストの内の一つを表示することを特徴とする請求項１６記載のリモートデータ表示の構造を適用した電子装置。
【請求項２５】
ネットワークシステムと、
前記ネットワークシステムとカップリングする第１装置と、
前記ネットワークシステムとカップリングする第２装置と、
前記第１装置とカップリングする第１入力ユニットと、
前記第１装置とカップリングする第１表示器および前記第２装置とカップリングする第２表示器とを含み、
前記第２表示器は、
第２プロトコルを利用して前記第１装置とデータ伝送を行うコントロールユニットと、
前記コントロールユニットとカップリングする駆動回路であって、複数のＬＥＤは前記駆動回路とカップリングし、ＬＥＤはバーに設置されて直線配列を呈し、前記バーは作動機構に連結して前記モータと該作動機構によって該バーを移動可能で、第２の特定データを表示するために、一間隔時間において対応するＬＥＤを点灯させる駆動回路と、
前記駆動回路とカップリングするモータおよび前記モータと発光モジュールと連結する作動機構とを含み、
ターゲットプログラムを実行後、前記第１入力ユニットを利用して第１の特定データを前記第１装置に入力し、第１プロトコルと前記ネットワークシステムによって前記第１の特定データを前記第２装置へ伝送し、前記ターゲットプログラムと前記第１の特定データを利用して前記第２表示器に第２の特定データを表示させることを特徴とするリモートデータ表示の構造を適用した電子装置。
【請求項２６】
前記ターゲットプログラムは、
前記第１装置と前記第２装置を起動し、少なくとも一つの関連プログラムを起動させる起動プログラムを実行するステップと、
前記ネットワークシステムと前記関連プログラムにより前記第１の特定データを前記第２装置へ伝送する伝送プログラムを実行するステップと、
前記第１の特定データがキー番号を含むか否かを決定する解析プログラムを実行するステップと、
を含み、第１の特定データが前記キー番号を含む場合、第２表示器に前記第１の特定データが対応する前記第２の特定データを表示させるため、プログラム表示を実行することを特徴とする請求項２５記載のリモートデータ表示の構造を適用した電子装置。
【請求項２７】
前記伝送プログラムは、
前記第１装置がインスタントメッセンジャープログラムを利用して前記第２装置へコマンドパケットを伝送するステップと、
前記第２装置が前記インスタントメッセンジャープログラムを利用して前記コマンドパケットを受信するステップと、
を含み、前記コマンドパケットが対応するパケット内容をバッファエリアに保存することを特徴とする請求項２６記載のリモートデータ表示の構造を適用した電子装置。
【請求項２８】
前記解析プログラムは、
特定の応用プログラムを利用し、一間隔時間毎に前記第２装置がパケット内容を取得するために、バッファエリアの内容の読取りを行うステップと、
前記パケット内容がキー番号を含むか否かを解析するステップと、
前記パケット内容が前記キー番号を含む場合、特定の文字列または特定のイラストの内の一つを表示するステップと、
前記キー番号が前記特定の文字列の表示を決定した場合、前記パケット内容が対応する前記特定の文字列を前記第２表示器へ伝送し、前記第２表示器に前記特定の文字列を表示させるステップと、
前記キー番号が前記特定のイラストの表示を決定した場合、前記第２装置のメモリユニットにおいて対応するイラストデータの取出しを行うステップと、
前記イラストデータを前記第２表示器へ伝送し、前記第２表示器に前記特定のイラストを表示させるステップと、
を含むことを特徴とする請求項２６記載のリモートデータ表示の構造を適用した電子装置。
【請求項２９】
前記プログラム表示は、
第２プロトコルを利用して前記第２装置と前記第２表示器との連線を行い、
前記第２表示器は前記第２の特定データを前記第２表示器へ伝送し、
前記第２表示器は前記第２の特定データを受信した後、特定の文字列と特定のイラストの一つを表示することを特徴とする請求項２６記載のリモートデータ表示の構造を適用した電子装置。
【発明の詳細な説明】
【技術分野】
【０００１】
本発明は、ネットワーク応用構造に関し、特に、インスタントメッセンジャーソフトを利用したリモート外付け設備におけるリモートデータ表示の構造を適用した電子装置に関する。
【背景技術】
【０００２】
インスタントメッセンジャーは、大いに普遍的なネットワークサービスである。目下、インスタントメッセンジャープログラムには、米国ヤフー社（YAHOO INC.）のヤフー・メッセンジャー（YAHOO Messenger）、米国グーグル社（GOOGLE INC.）のグーグル・トーク（GOOGLE Talk）、米国マイクロソフト社（Microsoft Corp.）のマイクロソフト・メッセンジャー（MSN Messenger）、アイルランドのスカイプ社（SKYPE LIMITED）によるスカイプ（Skype）がある。これらのインスタントメッセンジャープログラムによってユーザーは友人、家族あるいは同僚と即時に会話やデータのやり取り等を行うことが可能である。この種のサービスは、即時的なものであり、電子メールの返信を行う必要はなく、相手が国外に居たとしても、ユーザーは彼らと連絡を取ることができる。インスタントメッセンジャープログラムは、私的秘密性および個人化を兼ねたコミュニケーション手段である。ユーザーは会話する相手を必ず自分のコンタクトリストに加入させる必要があり、こうして初めて相手と会話をすることができる。インスタントメッセンジャープログラムは費用が安く、且つ便利なコミュニケーション方法を提供するものとして、近年、インスタントメッセンジャープログラムへのユーザー加入状況は大幅な成長を遂げている。
【０００３】
しかしながら、現在、インスタントメッセンジャープログラムの主な機能は依然として通信領域に重きをおき、ワークベースはＰＣをメインとしている。インスタントメッセンジャープログラムへのユーザー加入が大幅な成長を見せている趨勢に直面してはいるが、インスタントメッセンジャープログラムの応用範囲が大きく広がらなければ、幅広い範囲のユーザー獲得に対して大きな損失となる。よって、産業の進歩を促進し、大衆の生活品質を高めるために、如何にしてインスタントメッセンジャープログラムの応用を強化し、より多くのビジネスチャンスを作り出すかについて深く思考する必要がある。
【０００４】
ＬＥＤメッセージクロック（Message Clock）やプロジェクションクロック等、現在、多くの電子製品が創意に富む方法によって文字やイラストを表示している。ＬＥＤメッセージクロック（Message Clock）は文字を表示するためにＬＥＤと視覚の残像原理を利用し、ＬＥＤメッセージクロックの基本構造は少なくとも複数のＬＥＤ、バーおよびモータを含む。複数のＬＥＤはバー上で直線的に配列され、バーはモータによって作動して揺動する。そして、一つの扇形エリアの中で時間を表示する。このほか、プロジェクションクロックは、レーザーダイオードとレンズを利用してレーザー光を投射し、スキャンの方式によって投影面に時間を表示する。図１が示すのは、従来のＬＥＤメッセージクロックの斜視図である。図２が示すのは、従来のプロジェクションクロックの斜視図である。
【０００５】
ＬＥＤメッセージクロックおよびプロジェクションクロックは、昔ながらの時計と比較すると、より創意性と趣味的な要素を有していることがわかる。簡単で趣のある表示方法を用いるこれらの表示方法は、ユーザーに目新しい興味を感じさせる。しかしながら、残念なことに、ＬＥＤメッセージクロックとプロジェクションクロックのその主要な用途は、目下、時間表示にとどまっている。勿論いくつかのＬＥＤメッセージクロックとプロジェクションクロックはわずかな文字を表示するが、これらの文字はＬＥＤメッセージクロックに予め設けられたものであり、変化や特色に欠け、ＬＥＤメッセージクロックの用途は非常に限られたものである。
【０００６】
従来の技術は、データ表示を変更するための簡易なインターフェースを提供し、ユーザーはＰＣからＬＥＤメッセージクロック内へとデータを伝送することが可能であるが、このようなデータを変更するモードは予め設定された文字であるという不十分な点から未だ脱却することができず、使用上のフレキシブルさを欠いている。一方、プロジェクションクロックは今のところ伝送インターフェースを欠いており、よって、このようなプロジェクションクロックはＰＣと接続することができない。
【発明の開示】
【発明が解決しようとする課題】
【０００７】
本発明の目的は、リモートデータ表示の構造を適用した電子装置を提供することであり、本構造はＬＡＮユーザーにインスタントメッセンジャープログラムとネットワークシステムによって即時にリモート外付け設備上で文字またはイラストを表示できるようにさせることが可能である。
【課題を解決するための手段】
【０００８】
上述またはその他の目的を達成するため、本発明は、リモートデータ表示の構造を適用した電子装置を示す。本構造は、ネットワークシステムと、第１装置と、第２装置と、第１表示器と、第２表示器と、第１入力ユニットとを含む。このうち、第１装置と第２装置は、それぞれネットワークシステムとカップリングする。第１表示器は第１装置とカップリングし、第２表示器は第２装置とカップリングする。第１装置と第２装置がそれぞれ一つのターゲットプログラムを実行した後、ユーザーは第１入力ユニットを利用することによって、第１の特定データを第１装置に入力する。次に、第１プロトコルとネットワークシステムによって第１装置は第１の特定データを第２装置へと伝送する。その後、前述のターゲットプログラムと第１の特定データを利用することによって、第２表示器に第２の特定データを表示させる。
【０００９】
つまり、本発明は、電子装置に適用されるリモートデータ表示の構造を提出する。本発明は、インスタントメッセンジャープログラムをＬＥＤメッセージクロックやプロジェクションクロック等製品と結合させ、インスタントメッセンジャープログラムと関連する表示装置の応用範囲を拡大することができ、趣味的な方法によって文字やイラストを表示し、多彩な風貌を呈することが可能である。
【発明を実施するための最良の形態】
【００１０】
本発明の上述またはその他目的、特徴および長所をより明らかに分かり易くするため、下記により好ましい実施の形態を特に挙げ、図面と共に詳細に説明する。
図３が示すのは、本発明の一実施例によるリモートデータ表示の構造を適用した電子装置の概略図である。リモートデータ表示の構造は、ネットワークシステム３０２、第１装置３０４、第１表示器３０６、第１入力ユニット３０８、第１表示ユニット３１０、第２装置３１２、第２表示器３１４、第２入力ユニット３１６および第２表示ユニット３１８を含む。
【００１１】
第１装置３０４と第２装置３１２は、それぞれネットワークシステム３０２とカップリングする。第１表示器３０６は第１装置３０４とカップリングし、第２表示器３１４は第２装置３１２とカップリングする。第１入力ユニット３０８は第１装置３０４と、第２入力ユニット３１６は第２装置３１２とカップリングする。第１装置３０４は第１表示ユニット３１０とカップリングし、第２装置３１２は第２表示ユニット３１８とカップリングする。本実施例において、上述の第１入力ユニット３０８は、キーボード、手書き入力装置または音声入力装置である。第１装置３０４と第２装置３１２は、ＰＣ、携帯情報端末（ＰＤＡ）または携帯電話である。
【００１２】
図４が示すのは、本発明の一実施例によるリモートデータ表示の構造を適用した電子装置の第１表示器の回路のブロック図である。第１表示器３０６は、表示モジュール４０２、コントロールユニット４０４およびモニタ４０６を含む。表示モジュール４０２は、発光モジュール４０２２、モータ４０２４および駆動回路４０２６を含む。コントロールユニット４０４は、コントロール周辺ユニット４０４２、ＣＰＵ４０４４および内設メモリ４０４６を含む。コントロールユニット４０４は表示モジュール４０２とモニタ４０６にカップリングし、コントロールユニット４０４のＣＰＵ４０４４は第１装置３０４とカップリングする。さらに、ＣＰＵ４０４４はコントロール周辺ユニット４０４２と内設メモリ４０４６にカップリングし、コントロール周辺ユニット４０４２は複数のＧＰＩＯ（＝General Purpose Input/Output、汎用入出力ポート）を有する。第２表示器３１４の回路ブロック図と第１表示器３０６とは近似しているため、ここでは再述しない。
【００１３】
第１装置３０４のユーザーがインスタントメッセンジャープログラムを利用する場合において、リモートのＬＥＤメッセージクロック（第２表示器１４）に「我愛■（■＝にんべんに尓：以下同じ）」の３つの文字が表示される時、第１装置３０４と第２装置３１２はそれぞれターゲットプログラムを実行した後、第１入力ユニット３０８を利用し、「００＿我愛■」等の第１の特定データを第１装置３０４へ入力する。次に、第１プロトコルとネットワークシステム３０２を利用し、第１装置３０４は第１の特定データを第２装置３１２へ伝送する。その後、前述のターゲットプログラムと第１の特定データを利用し、第２表示器は「我愛■」等の第２の特定データを表示する。インスタントメッセンジャープログラムは、Yahooメッセンジャー、Googleトーク、ＭＳＮメッセンジャーまたはSkypeである。
【００１４】
コントロールユニット４０４は、第２プロトコルを利用し、第１装置３０４と第２装置３１２にデータ伝送を実行させる。第２表示器３１４は作動機構（図示せず）を有し、作動機構はモータと発光モジュールに連結する。第２の特定データを表示するため、モータ４０２４は、作動機構を駆動することによって、モジュール４０２２を移動させる。作動機構の構造は従来技術であるため、ここでは再述しない。第２プロトコルは、ＵＳＢ、Bluetooth（ブルトゥース）またはＳＡＴＡである。
【００１５】
図１と図４を合わせて参考にする。第２表示器３１４がＬＥＤメッセージクロックであれば、発光モジュール４０２２は複数のＬＥＤを含む。ＬＥＤ１０２は、バー１０４に設置される。複数のＬＥＤは、直線的に配列され、バー１０４の中心軸線方向に平行となる。バー１０４は作動機構（図示せず）と連結し、作動機構はバー１０４を固定されたエリアで左右に移動させる。バー１０４が左右に移動する時、特定の位置で特定のＬＥＤを開き、視覚の残像原理を利用し、固定エリアにデータを表示させる。即ち、対応する第２の特定データを表示するため、一間隔の時間で対応する複数のＬＥＤを発光させる。
【００１６】
図２と図４を合わせて参考にする。発光モジュールは、レーザーダイオードモジュール（図示せず）とレンズ２０２を含むことも可能である。レーザーダイオード発光モジュールは、該レンズがピントを合わせることにより、レーザー光を投射し、レーザーダイオードの移動によってレーザー光に固定のエリアをスキャンさせ、固定のエリアにデータを表示させることができる。
【００１７】
図５が示すのは、本発明の一実施例によるリモートデータ表示の構造を適用した電子装置のターゲットプログラムのフローチャートを示す図である。ターゲットプログラムは、以下のステップを含む。
ユーザーがスタートプログラムを起動し、少なくとも一つの関連プログラムを第１装置と第２装置（Ｓ５０４）にインストールする。
次に、ユーザーは、第１入力ユニットを利用し、第１の特定データ（Ｓ５０６）を入力する。
【００１８】
続いて、本構造は伝送プログラムを実行し、ネットワークシステムと関連プログラムによって第１の特定データを第２装置（Ｓ５０８）へ伝送する。
その後、第２装置は解析プログラムを実行し、第１の特定データがキー番号（Ｓ５１０）を含むか否かを決定する。
この後、第１の特定データがキー番号を含んでいれば、第２装置は表示プログラム（Ｓ５１２）を実行し、続いて、第２表示器は第１の特定データが対応する第２の特定データ（Ｓ５１４）を表示する。
【００１９】
図６は、本発明の一実施例によるリモートデータ表示の構造を適用した電子装置のターゲットプログラムの細部フローチャートを示す図であり、図５と合わせて参考にする。起動プログラムは、以下のステップを含む。
第１装置と第２装置は、インスタントメッセンジャープログラム（Ｓ６０４）を起動する。
【００２０】
次に、第１装置と第２装置は、特定の応用プログラム（Ｓ６０６）を起動する。
伝送プログラムは、以下のステップを含む。
インスタントメッセンジャープログラムを利用し、第１装置はコマンドパケットを第２装置（Ｓ６０８）に伝送する。
第２装置は、インスタントメッセンジャープログラムを利用し、コマンドパケットを受信し、さらに、コマンドパケットが対応するパケット内容をバッファエリア（Ｓ６１０）に保存する。
【００２１】
続いて、パケット内容がキー番号（Ｓ６１２）を含むか否かを判断し、パケット内容がキー番号を含んでいなければ、第２表示ユニットでパケット内容が対応する特定の文字列（Ｓ６１４）を表示する。パケット内容がキー番号を含んでいれば、表示プログラム（Ｓ６１６）を実行する。
その後、第２表示器は特定の文字列または特定のイラスト（Ｓ６１８）を表示する。
図７は、本発明の一実施例によるリモートデータ表示の構造を適用した電子装置の解析プログラムのフローチャートを示す図である。解析プログラムは、以下のステップを含む。
【００２２】
特定の応用プログラムを利用し、パケット内容（Ｓ７０４）を取得するため、一間隔の時間毎に第２装置でバッファエリアの内容の読取りを行う。
その後、第２装置はパケット内容の解析を行い、パケット内容がキー番号（Ｓ７０６）を含むか否かを判断する。パケット内容がキー番号を含んでいなければ、第２装置は第２表示ユニットでパケット内容が対応する特定の文字列（Ｓ７０８）を表示する。パケット内容がキー番号を含んでいれば、第２装置は特定の文字列（Ｓ７１０）を表示するか否かの判断を行う。第２装置が特定の文字列を表示すると判断した場合、第２表示器はパケット内容が対応する特定の文字列（Ｓ７１２）を表示する。第２装置が特定の文字列を表示しないと判断した場合、第２装置は特定のイラスト（Ｓ７１４）を表示するか否かの判断を行う。第２装置が特定のイラストを表示すると判断した場合、第２装置はメモリユニットの中から対応するイラストデータ（Ｓ７１６）の取出しを行う。
【００２３】
続いて、第２装置は、イラストデータを第２表示器に伝送し、第２表示器に特定のイラスト（Ｓ７１８）を表示させる。第２装置が特定のイラストを表示しないと判断した場合、解析プログラム（Ｓ７２０）を停止させる。特定の文字列はパケット内容の中に含まれ、イラストデータは第２装置の第２メモリユニットに予め保存される。
図８は、本発明の一実施例によるリモートデータ表示の構造を適用した電子装置の表示プログラムのフローチャートを示す図である。表示プログラムは、次のステップを含む。
【００２４】
第２プロトコルを利用し、第２装置は第２表示器と連線する（Ｓ８０４）。
次に、第２装置は、第２の特定データを第２表示器のコントロールユニット（Ｓ８０６）に伝送する。
その後、第２表示器のコントロールユニットは、第２の特定データ（Ｓ８０８）を受信する。コントロールユニットは、特定の文字列または特定のイラスト（Ｓ８１０）を表示するため、モータと発光モジュールを駆動する。
【００２５】
ここで特に説明したいのは、第１表示器と第２表示器の表示方法は説明に用いるためだけのものであり、例えば、第１表示器または第２表示器はコントロールユニットとモニタのみを含むものとすることも可能である。コントロールユニットは対応する第１装置または第２装置とカップリングし、モニタはコントロールユニットとカップリングする。コントロールユニットは、第２の特定データを受信した後、第２の特定データをモニタに表示させる。現在、デジタルフォトフレーム、携帯電話、携帯情報端末（ＰＤＡ）等の関連装置においては全て本発明の構造を実現することができる。
【図面の簡単な説明】
【００２６】
【図１】従来のＬＥＤメッセージクロックを示す斜視図である。
【図２】従来のプロジェクションクロックを示す斜視図である。
【図３】本発明の一実施例によるリモートデータ表示の構造を適用した電子装置を示す概略図である。
【図４】本発明の一実施例によるリモートデータ表示の構造を適用した電子装置の第１表示器の回路のブロック図である。
【図５】本発明の一実施例によるリモートデータ表示の構造を適用した電子装置のターゲットプログラムのフローチャートを示す図である。
【図６】本発明の一実施例によるリモートデータ表示の構造を適用した電子装置のターゲットプログラムの細部フローチャートを示す図である。
【図７】本発明の一実施例によるリモートデータ表示の構造を適用した電子装置の解析プログラムのフローチャートを示す図ある。
【図８】本発明の一実施例によるリモートデータ表示の構造を適用した電子装置の表示プログラムのフローチャートを示す図である。
【符号の説明】
【００２７】
１０２：ＬＥＤ、１０４：バー、２０２：レンズ、３００：リモートデータ表示の構造、３０２：ネットワークシステム、３０４：第１装置、３０６：第１表示器、３０８：第１入力ユニット、３１０：第１表示ユニット、３１２：第２装置、３１４：第２表示器、３１６：第２入力ユニット、３１８：第２表示ユニット、４０２：表示モジュール、４０４：コントロールユニット、４０６：モニタ、Ｓ５０２：フローチャートのステップ、Ｓ５０４：フローチャートのステップ、Ｓ５０６：フローチャートのステップ、Ｓ５０８：フローチャートのステップ、Ｓ５１０：フローチャートのステップ、Ｓ５１２：フローチャートのステップ、Ｓ５１４：フローチャートのステップ、Ｓ６０２：フローチャートのステップ、Ｓ６０４：フローチャートのステップ、Ｓ６０６：フローチャートのステップ、Ｓ６０８：フローチャートのステップ、Ｓ６１０：フローチャートのステップ、Ｓ６１２：フローチャートのステップ、Ｓ６１４：フローチャートのステップ、Ｓ６１６：フローチャートのステップ、Ｓ６１８：フローチャートのステップ、Ｓ７０２：フローチャートのステップ、Ｓ７０４：フローチャートのステップ、Ｓ７０６：フローチャートのステップ、Ｓ７０８：フローチャートのステップ、Ｓ７１０：フローチャートのステップ、Ｓ７１２：フローチャートのステップ、Ｓ７１４：フローチャートのステップ、Ｓ７１６：フローチャートのステップ、Ｓ７１８：フローチャートのステップ、Ｓ７２０：フローチャートのステップ、Ｓ８０２：フローチャートのステップ、Ｓ８０４：フローチャートのステップ、Ｓ８０６：フローチャートのステップ、Ｓ８０８：フローチャートのステップ、Ｓ８１０：フローチャートのステップ、４０２２：発光モジュール、４０２４：モータ、４０２６：駆動回路、４０４２：コントロール周辺ユニット、４０４４：ＣＰＵ、４０４６：内設メモリ
【図１】
2008041073.tif 000003
【図２】
2008041073.tif 000004
【図３】
2008041073.tif 000005
【図４】
2008041073.tif 000006
【図５】
2008041073.tif 000007
【図６】
2008041073.tif 000008
【図７】
2008041073.tif 000009
【図８】
2008041073.tif 000010